(57)【要約】【課題】  印刷装置から携帯端末に対して無線接続に必要な接続情報を提示する。【解決手段】  携帯端末に対して無線接続に必要な接続情報を提示する印刷装置であって、携帯端末からの接続要求を受け、該携帯端末との間の無線接続が許可されているか否かを判定する。判定の結果、無線接続が許可されていない場合、無線接続に必要な接続情報を提示する。【選択図】      図４
2007223222.tif 000002
【特許請求の範囲】
【請求項１】
携帯端末に対して無線接続に必要な接続情報を提示する印刷装置であって、
携帯端末からの接続要求を受け、該携帯端末との間の無線接続が許可されているか否かを判定する判定手段と、
前記無線接続が許可されていない場合、前記無線接続に必要な接続情報を提示する提示手段とを有することを特徴とする印刷装置。
【請求項２】
携帯端末に対して無線接続に必要な接続情報を提示する印刷装置であって、
携帯端末との間の無線接続に必要な接続情報の提示要求を受け付ける手段と、
前記提示要求に基づいて前記無線接続に必要な接続情報を提示する提示手段とを有することを特徴とする印刷装置。
【請求項３】
前記提示手段は、前記接続情報を表示装置に表示するか、用紙に印刷するかを指示する指示情報を記憶する記憶手段を更に有することを特徴とする請求項１又は２に記載の印刷装置。
【請求項４】
前記提示手段は、前記指示情報に基づいて前記接続情報を表示又は印刷する際に、前記接続情報をコード化することを特徴とする請求項３に記載の印刷装置。
【請求項５】
前記提示手段は、前記接続情報と共に、印刷設定を示す設定情報を提示することを特徴とする請求項１又は２に記載の印刷装置。
【請求項６】
前記提示手段は、前記接続情報及び設定情報を表示装置に表示するか、用紙に印刷するかを指示する指示情報を記憶する記憶手段を更に有することを特徴とする請求項５に記載の印刷装置。
【請求項７】
前記提示手段は、前記指示情報に基づいて前記接続情報及び設定情報を表示又は印刷する際に、前記接続情報及び設定情報をコード化することを特徴とする請求項６に記載の印刷装置。
【請求項８】
携帯端末に対して無線接続に必要な接続情報を提示する接続情報提示方法であって、
携帯端末からの接続要求を受け、該携帯端末との間の無線接続が許可されているか否かを判定する判定工程と、
前記無線接続が許可されていない場合、前記無線接続に必要な接続情報を提示する提示工程とを有することを特徴とする接続情報提示方法。
【請求項９】
携帯端末に対して無線接続に必要な接続情報を提示する接続情報提示方法であって、
携帯端末との間の無線接続に必要な接続情報の提示要求を受け付ける工程と、
前記提示要求に基づいて前記無線接続に必要な接続情報を提示する提示工程とを有することを特徴とする接続情報提示方法。
【請求項１０】
請求項８又は９に記載の接続情報提示方法の各工程をコンピュータに実行させるためのプログラム。
【請求項１１】
請求項１０に記載のプログラムを記録したコンピュータ読み取り可能な記録媒体。
【発明の詳細な説明】
【技術分野】
【０００１】
本発明は、携帯端末に対して無線接続に必要な接続情報を提示する技術に関するものである。
【背景技術】
【０００２】
近年、携帯電話を代表とする携帯端末から無線のインターフェース、例えばBluetooth（登録商標）を使用してプリンタなどのデバイスに接続し、印刷を行うことが増えてきている。
【特許文献１】特開２００５−１９７９４２号公報
【発明の開示】
【発明が解決しようとする課題】
【０００３】
しかしながら、上述の無線インターフェースを使用して接続し、印刷を行う場合、通常最初に携帯端末から接続可能なデバイスを検索し、その中から接続したいデバイスを選択した上で、接続処理を行う必要がある。
【０００４】
このような方法では、一連の流れの中で、あまりに多くのデバイスが検索されてしまい、実際に接続したいデバイスがどれかわからずに選択できない場合がある。また、実際に接続処理を行おうとした時に、接続に必要なパスワード（以降、ＰＩＮコードと称す）を要求され、その値を知る手段が無く接続できない場合もある。
【０００５】
また、Bluetooth（登録商標）等の無線インターフェースを使った印刷では、プリンタの印刷設定や印刷環境（例えば、紙サイズ、インクの種類、印刷レイアウト）等を印刷前にホスト側で取得できないことが多い。そのため、実際に印刷が終了するまでは印刷結果がわからず、非常に不便であった。
【０００６】
本発明は、印刷装置から携帯端末に対して無線接続に必要な接続情報を提示することを目的とする。
【０００７】
また、無線接続に必要な接続情報と共に、印刷設定や印刷環境を提示することを目的とする。
【課題を解決するための手段】
【０００８】
本発明は、携帯端末に対して無線接続に必要な接続情報を提示する印刷装置であって、携帯端末からの接続要求を受け、該携帯端末との間の無線接続が許可されているか否かを判定する判定手段と、前記無線接続が許可されていない場合、前記無線接続に必要な接続情報を提示する提示手段とを有することを特徴とする。
【０００９】
また、本発明は、携帯端末に対して無線接続に必要な接続情報を提示する印刷装置であって、携帯端末との間の無線接続に必要な接続情報の提示要求を受け付ける手段と、前記提示要求に基づいて前記無線接続に必要な接続情報を提示する提示手段とを有することを特徴とする。
【００１０】
更に、本発明は、携帯端末に対して無線接続に必要な接続情報を提示する接続情報提示方法であって、携帯端末からの接続要求を受け、該携帯端末との間の無線接続が許可されているか否かを判定する判定工程と、前記無線接続が許可されていない場合、前記無線接続に必要な接続情報を提示する提示工程とを有することを特徴とする。
【００１１】
更に、本発明は、携帯端末に対して無線接続に必要な接続情報を提示する接続情報提示方法であって、携帯端末との間の無線接続に必要な接続情報の提示要求を受け付ける工程と、前記提示要求に基づいて前記無線接続に必要な接続情報を提示する提示工程とを有することを特徴とする。
【発明の効果】
【００１２】
本発明によれば、印刷装置から携帯端末に対して無線接続に必要な接続情報を提示することにより、携帯端末が印刷装置に対して容易に無線接続でき、印刷を行える。
【発明を実施するための最良の形態】
【００１３】
以下、図面を参照しながら発明を実施するための最良の形態について詳細に説明する。
【００１４】
図１〜図４は、本実施形態における大枠の操作説明を示す図である。本実施形態では、携帯端末として一番身近な携帯電話、無線インターフェースとしては近年多くの携帯電話に搭載されるBluetooth（登録商標）を例に挙げて説明する。また、携帯端末が接続するデバイスとしては印刷装置を例に挙げて説明する。
【００１５】
また、有効なホストとしての携帯端末は携帯性があれば、携帯電話に限らず、ＰＤＡ（Personal Digital Assistants）やモバイルＰＣ（Personal Computer）等でもかまわない。但し、近年の携帯電話やＰＤＡにはカメラ機能が標準で装着されており、これにより、ＱＲコード等から情報をダイレクトに受けられる機能を有している点を考慮すると、ＱＲコードを解析できる携帯端末が一番優位なホストでもある。
【００１６】
図１は、携帯電話と無線機能を持つ印刷装置との関係を示す図である。通常、携帯電話から印刷を行う場合、まず携帯電話が接続可能な印刷装置を検索する。このとき、複数の接続可能な印刷装置１０１の情報が携帯電話の表示器１０２に見つかった順に表示されていく。尚、携帯電話では、表示機能が劣るため、全ての接続可能なデバイス（印刷装置）の表示が一画面では行えず、スクロールする場合もある。
【００１７】
図２は、携帯電話の表示器２０２に表示された接続可能な複数の印刷装置から印刷装置２０１を探し、更に上から２番目にその表示２０２があることを確認し、選択して接続を行う様子を示す図である。
【００１８】
図３は、図２で携帯電話から印刷装置２０１を選択した後、２つのデバイスを接続する様子を示す図である。通常、携帯電話から選択した印刷装置２０１へ接続要求を行うと、印刷装置からＰＩＮコードの値を入力するように促される。これは、通常デバイスＩＤと呼ばれ、無線機器個々に設定され、アクセスするために必要なパスワードに相当する。
【００１９】
そして、接続形態が無線である場合、通常印刷装置２０１は接続要求をしてきたホスト（携帯電話）が、この印刷装置２０１と接続が許可されているホストであるか否かを識別するために、ホストに対してＰＩＮコードの問い合わせを行う。
【００２０】
ここで、通常使用する印刷装置としてホストが設定されていれば、事前に接続に必要な情報としてデバイスＩＤが入力されており、これらの煩わしい作業を行うこと無く、簡単に接続して印刷を行うことができる。しかしながら、出先で印刷装置とテンポラリな接続及び印刷を行うことを期待されている携帯電話や携帯機器などで簡単に接続設定を行うのは難しい。
【００２１】
本実施形態では、このような環境下で、携帯端末から容易に印刷装置に接続し、印刷を正確に簡単に行うことを前提としたシステムに関するものである。
【００２２】
図３に示すような状況で、ＰＩＮコードを要求された場合、既に何らかの方法で事前にＰＩＮコードを知っていれば、そのまま入力画面３０１でＰＩＮコードを入力する。このＰＩＮコードの入力により、印刷装置との接続、印刷を行うことができるが、このような場合はまれである。
【００２３】
そこで、本実施形態では、ホスト（携帯端末）が事前にＰＩＮコードを知らなくても、印刷装置が『ＰＩＮコードを知らないホストからの印刷要求』という解釈を行う。そして、ある時間が経過しても正しいＰＩＮコードが入力されない場合、印刷装置側でホストに向け、接続に必要なＰＩＮコードの情報を提示する。
【００２４】
具体的には、図４に示すように、印刷装置２０１に表示器がある場合には、その表示器の画面４０１にＰＩＮコードを表示或いは自動的にＰＩＮコードを用紙４０２に印刷する。ここで、ＰＩＮコードを表示するか、印刷を行うかは、印刷装置２０１の接続情報提示ボタン４０３による事前設定で切り替えることも可能である。
【００２５】
従って、ユーザは、表示或いは印刷されたＰＩＮコードを図３に示すＰＩＮコード入力画面３０１で入力することで、印刷装置２０１と接続を行うことができる。  
同様に、近年では、携帯電話にカメラ機能が標準搭載され携帯電話単体で、ＱＲコード等の読み込み、データの取り込みができるようになってきている。そこで、図５に示すように、表示或いは印刷されたＰＩＮコードを５０１、５０２のように、ＱＲコードとして変換し、表示或いは印刷することで、更にホストへの設定を簡単にすることができる。
【００２６】
特に、ＱＲコード等の場合には英数字で示されるＰＩＮコードをイメージデータに変換しているため、セキュリティの面においても直接ＰＩＮコードそのものが表示されたり、印刷される場合に比べて優位である。
【００２７】
また、図４、図５では、携帯電話と印刷装置のペアリングを行うために必要なデバイスＩＤ（ここではＰＩＮコード）のみを表示する例を示したが、通常、無線を使った接続では、双方向でないケースが多い。例えば、Bluetooth（登録商標）がその一例であるが、これらの通信形態では印刷を行う前に印刷装置側の情報を得ることができない。
【００２８】
そこで、ユーザがより簡単に意思にあった印刷処理ができるようにするために、図４や図５に示したペアリングするための情報（ＰＩＮコード）だけではなく、更に印刷装置側の印刷における各種情報を携帯端末に提供する必要がある。
【００２９】
図６は、印刷装置が携帯端末へ提供する印刷における各種情報を示す図である。図６において、６０１は印刷設定制御部であり、これは、印刷装置の中にある印刷装置に設定、或いは自動的に取得される印刷装置側の印刷環境を管理する部分である。尚、印刷装置の内部構成については、図８を用いて更に後述する。
【００３０】
ここで管理される印刷環境には、６０２に示すように、設定情報数、用紙サイズ、用紙の種類、ヘッドの種類等の情報が含まれている。特に、携帯電話などの携帯端末から印刷を行う場合、印刷する内容が非常に限定されることから、これら印刷環境は非常に重要な情報となる。
【００３１】
図７は、図６に示す印刷環境の情報をＱＲコードに変換し、表示、印刷した状態を示す図である。図７において、７０１〜７０３は携帯電話を代表とする表示能力が少ない携帯端末で印刷装置の印刷環境の情報を読み込んだ場合である。７０１は印刷装置の表示器であり、７０２は印刷前に印刷環境の情報を提示しているところである。しかし、画面表示の表現能力が低いため、全てを表示できていない状態であり、スクロール動作を行わなければ、全ての情報を入手できない。
【００３２】
一方、７０４は同じ情報を紙に印刷した場合である。紙であれば表現力が豊富なので、全ての情報を７０５のように印刷できるが、この場合でも携帯端末の入力方法が１０キーのような乏しい環境では入力が面倒である。
【００３３】
しかしながら、同一の画面を用いて、その情報をＱＲコードとしてＰＩＮコードと共に表示したものが７０３である。表示画面にもよるが、印刷装置に装備されている表示器は写真等のイメージを表示することができるため、ＱＲコードでの表示は可能である。
【００３４】
但し、表示器のサイズにより、携帯端末から読み込みが困難な場合には、ユーザにより７０６のようにＰＩＮコードに含ませてＱＲコードを印刷することも可能である。
【００３５】
ここで、図８を用いて、印刷設定値制御部６０１を備えた印刷装置の内部構成を詳細に説明する。
【００３６】
図８は、本実施形態における印刷装置の構成の一例を示す機能ブロック図である。図８において、８０１は無線インターフェース（Ｉ／Ｆ）、８０２は有線インターフェース（Ｉ／Ｆ）である。８０３は無線／有線機器を利用して接続し、ＰＩＮコードや印刷設定値をＱＲコードに変換して表示や印刷を実行する機能モジュールである。８０４は送られてきたデータに対する制御を行うモジュールである。
【００３７】
８０５はＣＰＵであり、無線インターフェース８０１や有線インターフェース８０２を介して外部と接続し、要求に応じて、８０３や８０４を制御して送信されてきたデータの印刷制御を行い、実際の印刷動作までの全体制御を行う。８０６はプリンタ制御部であり、ＣＰＵ８０５の制御に基づいて実際の印刷動作を行う。
【００３８】
機能モジュール８０３において、８１１は無線Ｉ／Ｆ８０１、有線Ｉ／Ｆ８０２を制御して外部ホストとの接続制御を行う通信制御プログラムである。８１２はデバイスＩＤ（この例ではＰＩＮコード）と呼ばれる接続セキュリティを高めるために用いるＩＤコードの設定、記憶、変更、確認等を行うデバイスＩＤ切替部である。８１３は要求に応じて、デバイスＩＤの値をＱＲコードに変換する２次元バーコード生成部である。８１４は印刷設定値制御部であり、印刷装置の印刷環境の情報を管理、保存し、必要に応じて、その値を出力／入力する。印刷環境情報は、例えば現在装着されている印刷用紙のサイズ、紙質、印刷ヘッドの種類（カラー、モノクロ）、印刷モード（１枚の紙に印刷するページ数）等である。
【００３９】
モジュール８０４において、８２１は印刷装置に表示器を実装している場合に画面制御を行う画面表示制御部である。８２２は本来の印刷装置としての機能や、送付されてきたデータに従って印刷データを構成し、蓄積処理を行う印刷データ解析用記憶部である。
【００４０】
次に、図９を用いて、印刷装置が携帯端末から接続要求を受け、ＰＩＮコードを表示、或いは印刷する一連の動作を説明する。
【００４１】
図９は、本実施形態における印刷装置の処理を示すフローチャートである。ここでは、例えばBluetooth（登録商標）付きの携帯電話から印刷装置への接続を想定し、携帯電話側でBluetooth（登録商標）を使用して接続可能な機器の一覧を検索する。これにより、図１に示すように、複数の印刷装置１０１が検索され、それが画面上に表示される。その後、図２に示すように、その中から接続したい印刷装置２０１、２０２を選択する。この状態で、スタートするのが、図９に示すフローチャートである。
【００４２】
まず、ステップＳ９０１において、携帯電話が印刷装置の一覧から接続したい印刷装置を選択すると、印刷装置が携帯電話からの接続要求を受信する。次に、ステップＳ９０２において、印刷装置は印刷が可能な状態であるか否かを確認し、可能でなければステップＳ９０３へ進み、接続不可である旨を携帯電話に通知し、接続を拒否する。
【００４３】
また、印刷可能であればステップＳ９０４へ進み、携帯電話と接続が許可されているかを確認するためにデバイス固有に設定されたＰＩＮコードの入力を求める。ここで、印刷装置が『ＰＩＮコードの要求』を携帯電話に出すと、図３に示すように、携帯電話の表示器には『ＰＩＮコード入力』を促す画面３０１が表示される。
【００４４】
次に、ステップＳ９０５において、例えばタイムアウトカウンタを設定し、ステップＳ９０６で、設定時間内に正しいＰＩＮコードを携帯電話のユーザが入力してくるか否かを確認する。ここで、タイムアウトが発生する前にＰＩＮコードが入力されるとステップＳ９０７へ進み、そのＰＩＮコードが正しいか否かを判断する。その結果、ＰＩＮコードが正しければステップＳ９０８へ進み、正常な接続処理を行い、この処理を終了する。
【００４５】
また、ステップＳ９０７において、ＰＩＮコードが正しくなければステップＳ９０９へ進み、タイムカウンタをデクリメントし、カウンタ値が“０”か否かを判定する。ここで、カウンタ値が“０”でなければステップＳ９０６に戻り、上述の処理を繰り返す。
【００４６】
一方、カウンタ値が“０”になるとステップＳ９１０へ進み、ユーザに対して、接続に必要なＰＩＮコードの提示を行う。具体的には、図４を用いて説明したように、ユーザが事前に設定していた提供方法を読み取り、その設定に従って『画面表示』か『印刷』かを行う。つまり、ステップＳ９１１において、画面表示が設定されていた場合はステップＳ９１２へ進み、画面の表示を行う。また、印刷が設定されていた場合はステップＳ９１３へ進み、ＰＩＮコードの印刷を行う。
【００４７】
次に、図１０を用いて、印刷装置がＱＲコードを表示又は印刷して接続情報を提供した後、携帯電話が設定項目を読み取る処理を説明する。
【００４８】
図１０は、携帯電話がＱＲコードを解析する処理を示すフローチャートである。まず、ステップＳ１００１において、携帯電話のユーザがＱＲコードリーダを起動し、印刷装置から提供されたＱＲコードを読み込む。次に、ステップＳ１００２において、読み込んだＱＲコードの内容解析を行い、ステップＳ１００３でＱＲコード内に含まれている情報が『ＰＩＮコード』だけか、或いは『印刷に必要な印刷環境情報（図７）』も含まれているかを確認する。ここで、ＱＲコードに含まれている値がＰＩＮコードだけであった場合はステップＳ１００４へ進み、通常の接続動作を行う。
【００４９】
また、ステップＳ１００３で、『印刷に必要な印刷環境情報』も含まれていた場合にはステップＳ１００５へ進み、ＰＩＮコードを分離し、印刷環境情報を抽出する。そして、ステップＳ１００６において、印刷環境情報の先頭にある情報数をカウンタにセットし、ステップＳ１００７で、印刷環境情報を読み出し、提供された印刷に必要な設定値として保存する。
【００５０】
次に、ステップＳ１００８において、ステップＳ１００６で設定した印刷情報カウンタをデクリメントし、ステップＳ１００９でカウンタ値が“０”でなければステップＳ１００７に戻り、上述の処理を繰り返す。そして、全ての印刷環境情報を設定項目として保存し終わると、この処理を終了する。
【００５１】
通常、Bluetooth（登録商標）のような通信インターフェースを使って印刷を行う場合、事前に印刷装置の印刷環境情報を取得することはできず、印刷を行って初めて問題点が判明することが多い。従って、本実施形態では、接続情報だけではなく、印刷装置の印刷環境情報も含めて印刷前にホストに提供できるので、携帯端末のようなホストから印刷を行う上で非常に効果が高い。
【００５２】
また、携帯電話等で、接続用のＰＩＮコードと印刷環境情報を入手した場合、印刷する前に印刷装置の設定内容が印刷したい設定内容と異なる場合がある。このような場合に、印刷装置側の紙サイズや印刷フォーマット等を変更し、それを同じくＱＲコード等で表示しても良い。
【００５３】
携帯電話のユーザが印刷前にＱＲコードで印刷装置の印刷環境情報を入手したが、そのままでは希望する印刷ができない場合、印刷装置の印刷環境、例えば、紙サイズ、インクヘッド、印刷レイアウトを変更する必要がある。このような場合に、図４に示す接続情報提示ボタン４０３を再度押下することで、再度変更した情報をＱＲコードでユーザに提示することができる。
【００５４】
図１１は、携帯電話に提示した印刷環境情報が、ユーザが印刷したい設定内容と異なる場合に、その印刷環境情報を変更する処理を示すフローチャートである。まず、ステップＳ１１００において、印刷設定値制御部８１４が管理、保存している一番最新の印刷環境情報を読み込む。次に、ステップＳ１１０１において、まず紙サイズを検知するセンサの情報を読み込み、ステップＳ１１０２において、ステップＳ１１０１で読み込んだ情報と携帯電話に通知した最新の印刷環境情報とを比較する。その結果、違いがあればステップＳ１１０３へ進み、紙サイズ情報を更新する。
【００５５】
次に、ステップＳ１１０４において、インクヘッドを識別するセンサからインクヘッドの情報を入手し、ステップＳ１１０５において、以前の情報と比較する。その結果、変更があればステップＳ１１０６へ進み、インクヘッドの仕様を変更する。次に、ステップＳ１１０７において、現在印刷装置に設定されている印刷レイアウトに関する情報を読み込み、ステップＳ１１０８において、以前の情報と比較する。その結果、異なっていた場合にはステップＳ１１０９へ進み、印刷レイアウト情報の更新を行う。
【００５６】
その後、ステップＳ１１１０において、印刷環境情報の変更があったか否かを確認し、変更がまったく無かった場合はステップＳ１１１１へ進み、接続情報提示ボタン４０３をリセットし、その後の処理は行わず、何も無かったように終了する。無論、ここで、再度以前提示した内容を再表示、或いは印刷を行っても良い。
【００５７】
また、ステップＳ１１１０において、何らかの変更があった場合はステップＳ１１１２へ進み、２次元バーコード生成部８１３が新しい印刷環境情報とＰＩＮコードを合わせた形でＱＲコード化を行う。次に、ステップＳ１１１３において、ＰＩＮコードの要求方法を読み取り、ステップＳ１１４で要求がＰＩＮコードの画面表示か、印刷かを判定する。ここで、印刷であればステップＳ１１１５へ進み、プリンタ制御部８０６が印刷を行う。また、画面表示であればステップＳ１１１６へ進み、画面表示制御部８２１が画面表示を行う。  
本実施形態によれば、携帯電話から印刷装置へ接続要求が来た段階で、自動的に接続に必要なＰＩＮコード情報や印刷装置の現在の印刷環境設定に関する情報を文字或いはＱＲコード等を利用してホストに提供することができる。また、変更を行った場合にも、再度同一のオペレーションで簡単に変更が可能である。
【００５８】
これにより、ユーザは、事前に準備することなく、印刷装置と接続を容易に行い、また『印刷装置の現在の印刷設定環境』を同時に提供することで、印刷における諸設定を容易にするだけではなく、印刷の失敗を極力抑制することができる。
【００５９】
尚、本実施形態では、携帯電話にて接続する印刷装置を選択して特定し、印刷装置から接続情報や印刷設定環境情報が提示される場合を説明したが、以下のような使用方法にも本発明は適用可能である。
【００６０】
例えば、携帯電話から印刷装置に対して接続要求を出す前に、接続したい印刷装置から直接接続情報を取得し、その上で接続を行うものである。
【００６１】
図１２は、本実施形態の変形例における提示方法を説明するための図である。図１２に示す印刷装置１２０２は接続情報提示ボタン１２０１の操作により、ＰＩＮコード或いはＰＩＮコードと印刷設定情報とを合わせた文字列を表示１２０３或いは印刷１２０４する。また、この文字列をＱＲコードに変換し、表示１２０５或いは印刷１２０６する。
【００６２】
これにより、近年の携帯端末であれば、ＱＲコードを読み取る機能を有する端末が増加していることから、簡単に接続、印刷を行うことができる。
【００６３】
以上説明したように、実施形態によれば、ユーザが携帯端末等を使って出先で急遽印刷を行わなければならなくなった時、無線インターフェースを装備する印刷装置を使用して印刷を行う場合に、印刷装置に容易に接続し、印刷が可能となる。
【００６４】
また、複雑なオペレーションや設定を行うことなく、接続した印刷装置を使って印刷を行う場合に必要な設定内容を簡単に提示でき、携帯端末で容易に設定を行え、印刷が可能となる。
【００６５】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００６６】
また、前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行する。これによっても、本発明の目的が達成されることは言うまでもない。
【００６７】
この場合、記録媒体から読出されたプログラムコード自体が前述した実施形態の機能を実現することになり、そのプログラムコードを記憶した記録媒体は本発明を構成することになる。
【００６８】
このプログラムコードを供給するための記録媒体として、例えばフレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００６９】
また、コンピュータが読出したプログラムコードを実行することにより、前述した実施形態の機能が実現されるだけでなく、次の場合も含まれることは言うまでもない。即ち、プログラムコードの指示に基づき、コンピュータ上で稼働しているＯＳ（オペレーティングシステム）などが実際の処理の一部又は全部を行い、その処理により前述した実施形態の機能が実現される場合。
【００７０】
更に、記録媒体から読出されたプログラムコードがコンピュータに挿入された機能拡張ボードやコンピュータに接続された機能拡張ユニットに備わるメモリに書込む。その後、そのプログラムコードの指示に基づき、その機能拡張ボードや機能拡張ユニットに備わるＣＰＵなどが実際の処理の一部又は全部を行い、その処理により前述した実施形態の機能が実現される場合も含まれることは言うまでもない。
【図面の簡単な説明】
【００７１】
【図１】携帯電話と無線機能を持つ印刷装置との関係を示す図である。
【図２】携帯電話の表示器２０２に表示された接続可能な複数の印刷装置から印刷装置２０１を探し、更に上から２番目にその表示２０２があることを確認し、選択して接続を行う様子を示す図である。
【図３】図２で携帯電話から印刷装置２０１を選択した後、２つのデバイスを接続する様子を示す図である。
【図４】印刷装置が無線接続に必要な接続情報を提示する方法を示す図である。
【図５】図４に示す接続情報をＱＲコードに変換し、表示、印刷した状態を示す図である。
【図６】印刷装置が携帯端末へ提供する印刷における各種情報を示す図である。
【図７】図６に示す印刷環境の情報をＱＲコードに変換し、表示、印刷した状態を示す図である。
【図８】本実施形態における印刷装置の構成の一例を示す機能ブロック図である。
【図９】本実施形態における印刷装置の処理を示すフローチャートである。
【図１０】携帯電話がＱＲコードを解析する処理を示すフローチャートである。
【図１１】携帯電話に提示した印刷環境情報が、ユーザが印刷したい設定内容と異なる場合に、その印刷環境情報を変更する処理を示すフローチャートである。
【図１２】本実施形態の変形例における使用方法を説明するための図である。
【符号の説明】
【００７２】
１０１  接続可能な複数の印刷装置
１０２  携帯電話の表示器
２０１  印刷装置
２０２  選択する印刷装置
３０１  入力画面
４０１  ＰＩＮコードの表示
４０２  ＰＩＮコードの印刷
４０３  接続情報提示ボタン
５０１  ＱＲコード表示
５０２  ＱＲコード印刷
６０１  印刷設定値制御部
６０２  印刷環境情報
７０１  表示状態
７０２  印刷環境情報
７０３  ＱＲコード表示
７０４  印刷状態
７０５  印刷環境情報
７０６  ＱＲコード印刷
８０１  無線インターフェース（Ｉ／Ｆ）
８０２  有線インターフェース（Ｉ／Ｆ）
８０３  機能モジュール
８０４  モジュール
８０５  ＣＰＵ
８０６  プリンタ制御部
８１１  通信制御プログラム
８１２  デバイスＩＤ切替部
８１３  ２次元バーコード生成部
８１４  印刷設定値制御部
８２１  画面表示制御部
８２２  印刷データ解析用記憶部
【図１】
2007223222.tif 000003
【図２】
2007223222.tif 000004
【図３】
2007223222.tif 000005
【図４】
2007223222.tif 000006
【図５】
2007223222.tif 000007
【図６】
2007223222.tif 000008
【図７】
2007223222.tif 000009
【図８】
2007223222.tif 000010
【図９】
2007223222.tif 000011
【図１０】
2007223222.tif 000012
【図１１】
2007223222.tif 000013
【図１２】
2007223222.tif 000014